【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  連続用紙への印刷が可能な印刷装置による前記連続用紙への印刷を制御する印刷制御装置であって、
印刷ジョブを順次受信する印刷ジョブ受信手段と、
前記印刷ジョブ受信手段により受信した印刷ジョブから前記印刷ジョブにかかる印刷物の個々のページを表示する画像データを取得する画像データ取得手段と、
前記画像データ取得手段により取得した画像データを印刷装置に順次送信する画像データ送信手段と、
前記印刷装置がジャムにより前記連続用紙に印刷したページを排出できなかった場合に排出できなかったページにかかる画像データを再印刷するために、予め既定数の再印刷用画像データを保存しておく再印刷用画像データ保存手段と、
前記画像データ送信手段による送信済み画像データを前記再印刷用画像データとして前記再印刷用画像データ保存手段に順次追加する再印刷用画像データ追加手段と、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除手段と、
前記印刷装置がジャムにより前記連続用紙に印刷したページを排出できなかった場合に前記再印刷用画像データ保存手段に保存されている再印刷用画像データを前記印刷装置に順次送信する再印刷用画像データ送信手段と、
前記再印刷用画像データ送信手段による送信済み再印刷用画像データを前記再印刷用画像データ保存手段から順次削除する第２の再印刷用画像データ削除手段とを有し、
前記画像データ取得手段は、前記印刷ジョブから前記画像データとともに前記印刷ジョブにかかる印刷物全体に適用される設定情報である印刷ジョブ設定情報および個々のページごとに適用される設定情報であるページ設定情報をも取得するものであり、
前記再印刷用画像データ追加手段は、前記再印刷用画像データとともに前記画像データ取得手段により取得した印刷ジョブ設定情報およびページ設定情報を前記再印刷用画像データ保存手段に順次追加するものであり、
前記第１の再印刷用画像データ削除手段は、前記再印刷用画像データとともに、前記再印刷用画像データ保存手段に保存されている印刷ジョブ設定情報およびページ設定情報のうち最初に追加されたものであって前記再印刷用画像データ保存手段に保存されている他の再印刷用画像データにかかるものでないものを前記再印刷用画像データ保存手段から削除するものであり、
前記再印刷用画像データ送信手段は、前記再印刷用画像データとともに前記再印刷用画像データ保存手段に保存されている印刷ジョブ設定情報およびページ設定情報を前記印刷装置に順次送信するものであり、
前記第２の再印刷用画像データ削除手段は、前記再印刷用画像データとともに前記再印刷用画像データ送信手段による送信済みの印刷ジョブ設定情報およびページ設定情報を前記再印刷用画像データ保存手段から順次削除するものである、
印刷制御装置。
【請求項２】  前記印刷ジョブ設定情報はジョブヘッダの情報であり、前記ページ設定情報はページヘッダの情報である、請求項１に記載の印刷制御装置。
【請求項３】  連続用紙への印刷が可能な印刷装置であって、
印刷ジョブを順次受信する印刷ジョブ受信手段と、
前記印刷ジョブ受信手段により受信した印刷ジョブから前記印刷ジョブにかかる印刷物の個々のページを表示する画像データを取得する画像データ取得手段と、
前記画像データ取得手段により取得した画像データを前記連続用紙に順次印刷して排出する画像データ印刷手段と、
前記画像データ印刷手段がジャムにより前記連続用紙に印刷したページを排出できなかった場合に排出できなかったページにかかる画像データを再印刷するために、予め既定数の再印刷用画像データを保存しておく再印刷用画像データ保存手段と、
前記画像データ印刷手段による前記連続用紙への印刷済み画像データを前記再印刷用画像データとして前記再印刷用画像データ保存手段に順次追加する再印刷用画像データ追加手段と、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除手段と、
前記画像データ印刷手段がジャムにより前記連続用紙に印刷したページを排出できなかった場合に前記再印刷用画像データ保存手段に保存されている再印刷用画像データを順次印刷する再印刷用画像データ印刷手段と、
前記再印刷用画像データ印刷手段による印刷済み再印刷用画像データを前記再印刷用画像データ保存手段から順次削除する第２の再印刷用画像データ削除手段とを有し、
前記画像データ取得手段は、前記印刷ジョブから前記画像データとともに前記印刷ジョブにかかる印刷物全体に適用される設定情報である印刷ジョブ設定情報および個々のページごとに適用される設定情報であるページ設定情報をも取得するものであり、
前記再印刷用画像データ追加手段は、前記再印刷用画像データとともに前記画像データ取得手段により取得した印刷ジョブ設定情報およびページ設定情報を前記再印刷用画像データ保存手段に順次追加するものであり、
前記第１の再印刷用画像データ削除手段は、前記再印刷用画像データとともに、前記再印刷用画像データ保存手段に保存されている印刷ジョブ設定情報およびページ設定情報のうち最初に追加されたものであって前記再印刷用画像データ保存手段に保存されている他の再印刷用画像データにかかるものでないものを前記再印刷用画像データ保存手段から削除するものであり、
前記再印刷用画像データ印刷手段は、前記再印刷用画像データ保存手段に保存されている印刷ジョブ設定情報およびページ設定情報を適用して前記再印刷用画像データを順次印刷するものであり、
前記第２の再印刷用画像データ削除手段は、前記再印刷用画像データとともに前記再印刷用画像データ印刷手段による適用済みの印刷ジョブ設定情報およびページ設定情報を前記再印刷用画像データ保存手段から順次削除するものである、
印刷装置。
【請求項４】  前記印刷ジョブ設定情報はジョブヘッダの情報であり、前記ページ設定情報はページヘッダの情報である、請求項３に記載の印刷装置。
【請求項５】  連続用紙への印刷が可能な印刷装置による前記連続用紙への印刷を制御する方法であって、
印刷ジョブを順次受信する印刷ジョブ受信ステップと、
前記印刷ジョブ受信ステップにより受信した印刷ジョブから前記印刷ジョブにかかる印刷物の個々のページを表示する画像データを取得する画像データ取得ステップと、
前記画像データ取得ステップにより取得した画像データを印刷装置に順次送信する画像データ送信ステップと、
前記印刷装置がジャムにより前記連続用紙に印刷したページを排出できなかった場合に排出できなかったページにかかる画像データを再印刷するために、予め既定数の再印刷用画像データを保存しておく再印刷用画像データ保存手段に、前記画像データ送信ステップによる送信済み画像データを前記再印刷用画像データとして順次追加する再印刷用画像データ追加ステップと、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除ステップと、
前記印刷装置がジャムにより前記連続用紙に印刷したページを排出できなかった場合に前記再印刷用画像データ保存手段に保存されている再印刷用画像データを前記印刷装置に順次送信する再印刷用画像データ送信ステップと、
前記再印刷用画像データ送信ステップによる送信済み再印刷用画像データを前記再印刷用画像データ保存手段から順次削除する第２の再印刷用画像データ削除ステップとを有し、
前記画像データ取得ステップは、前記印刷ジョブから前記画像データとともに前記印刷ジョブにかかる印刷物全体に適用される設定情報である印刷ジョブ設定情報および個々のページごとに適用される設定情報であるページ設定情報をも取得するものであり、
前記再印刷用画像データ追加ステップは、前記再印刷用画像データとともに前記画像データ取得ステップにより取得した印刷ジョブ設定情報およびページ設定情報を前記再印刷用画像データ保存手段に順次追加するものであり、
前記第１の再印刷用画像データ削除ステップは、前記再印刷用画像データとともに、前記再印刷用画像データ保存手段に保存されている印刷ジョブ設定情報およびページ設定情報のうち最初に追加されたものであって前記再印刷用画像データ保存手段に保存されている他の再印刷用画像データにかかるものでないものを前記再印刷用画像データ保存手段から削除するものであり、
前記再印刷用画像データ送信ステップは、前記再印刷用画像データとともに前記再印刷用画像データ保存手段に保存されている印刷ジョブ設定情報およびページ設定情報を前記印刷装置に順次送信するものであり、
前記第２の再印刷用画像データ削除ステップは、前記再印刷用画像データとともに前記再印刷用画像データ送信ステップによる送信済みの印刷ジョブ設定情報およびページ設定情報を前記再印刷用画像データ保存手段から順次削除するものである、
印刷制御方法。
【請求項６】  前記印刷ジョブ設定情報はジョブヘッダの情報であり、前記ページ設定情報はページヘッダの情報である、請求項５に記載の印刷制御方法。
【請求項７】  連続用紙への印刷を制御する方法であって、
印刷ジョブを順次受信する印刷ジョブ受信ステップと、
前記印刷ジョブ受信ステップにより受信した印刷ジョブから前記印刷ジョブにかかる印刷物の個々のページを表示する画像データを取得する画像データ取得ステップと、
前記画像データ取得ステップにより取得した画像データを前記連続用紙に順次印刷して排出する画像データ印刷ステップと、
前記画像データ印刷ステップにおいてジャムにより前記連続用紙に印刷したページを排出できなかった場合に排出できなかったページにかかる画像データを再印刷するために、予め既定数の再印刷用画像データを保存しておく再印刷用画像データ保存手段に、前記画像データ印刷ステップによる前記連続用紙への印刷済み画像データを前記再印刷用画像データとして順次追加する再印刷用画像データ追加ステップと、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除ステップと、
前記画像データ印刷ステップにおいてジャムにより前記連続用紙に印刷したページを排出できなかった場合に前記再印刷用画像データ保存手段に保存されている再印刷用画像データを順次印刷する再印刷用画像データ印刷ステップと、
前記再印刷用画像データ印刷ステップによる印刷済み再印刷用画像データを前記再印刷用画像データ保存手段から順次削除する第２の再印刷用画像データ削除ステップとを有し、
前記画像データ取得ステップは、前記印刷ジョブから前記画像データとともに前記印刷ジョブにかかる印刷物全体に適用される設定情報である印刷ジョブ設定情報および個々のページごとに適用される設定情報であるページ設定情報をも取得するものであり、
前記再印刷用画像データ追加ステップは、前記再印刷用画像データとともに前記画像データ取得ステップにより取得した印刷ジョブ設定情報およびページ設定情報を前記再印刷用画像データ保存手段に順次追加するものであり、
前記第１の再印刷用画像データ削除ステップは、前記再印刷用画像データとともに、前記再印刷用画像データ保存手段に保存されている印刷ジョブ設定情報およびページ設定情報のうち最初に追加されたものであって前記再印刷用画像データ保存手段に保存されている他の再印刷用画像データにかかるものでないものを前記再印刷用画像データ保存手段から削除するものであり、
前記再印刷用画像データ印刷ステップは、前記再印刷用画像データ保存手段に保存されている印刷ジョブ設定情報およびページ設定情報を適用して前記再印刷用画像データを順次印刷するものであり、
前記第２の再印刷用画像データ削除ステップは、前記再印刷用画像データとともに前記再印刷用画像データ印刷ステップによる適用済みの印刷ジョブ設定情報およびページ設定情報を前記再印刷用画像データ保存手段から順次削除するものである、
印刷制御方法。
【請求項８】  前記印刷ジョブ設定情報はジョブヘッダの情報であり、前記ページ設定情報はページヘッダの情報である、請求項７に記載の印刷制御方法。
【請求項９】  連続用紙への印刷が可能な印刷装置による前記連続用紙への印刷を制御するプログラムであって、
印刷ジョブを順次受信する印刷ジョブ受信ステップと、
前記印刷ジョブ受信ステップにより受信した印刷ジョブから前記印刷ジョブにかかる印刷物の個々のページを表示する画像データを取得する画像データ取得ステップと、
前記画像データ取得ステップにより取得した画像データを印刷装置に順次送信する画像データ送信ステップと、
前記印刷装置がジャムにより前記連続用紙に印刷したページを排出できなかった場合に排出できなかったページにかかる画像データを再印刷するために、予め既定数の再印刷用画像データを保存しておく再印刷用画像データ保存手段に、前記画像データ送信ステップによる送信済み画像データを前記再印刷用画像データとして順次追加する再印刷用画像データ追加ステップと、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除ステップと、
前記印刷装置がジャムにより前記連続用紙に印刷したページを排出できなかった場合に前記再印刷用画像データ保存手段に保存されている再印刷用画像データを前記印刷装置に順次送信する再印刷用画像データ送信ステップと、
前記再印刷用画像データ送信ステップによる送信済み再印刷用画像データを前記再印刷用画像データ保存手段から順次削除する第２の再印刷用画像データ削除ステップとを印刷制御装置に実行させるものであり、
前記画像データ取得ステップは、前記印刷ジョブから前記画像データとともに前記印刷ジョブにかかる印刷物全体に適用される設定情報である印刷ジョブ設定情報および個々のページごとに適用される設定情報であるページ設定情報をも取得するものであり、
前記再印刷用画像データ追加ステップは、前記再印刷用画像データとともに前記画像データ取得ステップにより取得した印刷ジョブ設定情報およびページ設定情報を前記再印刷用画像データ保存手段に順次追加するものであり、
前記第１の再印刷用画像データ削除ステップは、前記再印刷用画像データとともに、前記再印刷用画像データ保存手段に保存されている印刷ジョブ設定情報およびページ設定情報のうち最初に追加されたものであって前記再印刷用画像データ保存手段に保存されている他の再印刷用画像データにかかるものでないものを前記再印刷用画像データ保存手段から削除するものであり、
前記再印刷用画像データ送信ステップは、前記再印刷用画像データとともに前記再印刷用画像データ保存手段に保存されている印刷ジョブ設定情報およびページ設定情報を前記印刷装置に順次送信するものであり、
前記第２の再印刷用画像データ削除ステップは、前記再印刷用画像データとともに前記再印刷用画像データ送信ステップによる送信済みの印刷ジョブ設定情報およびページ設定情報を前記再印刷用画像データ保存手段から順次削除するものである、
印刷制御プログラム。
【請求項１０】  前記印刷ジョブ設定情報はジョブヘッダの情報であり、前記ページ設定情報はページヘッダの情報である、請求項９に記載の印刷制御プログラム。
【請求項１１】  連続用紙への印刷を制御するプログラムであって、
印刷ジョブを順次受信する印刷ジョブ受信ステップと、
前記印刷ジョブ受信ステップにより受信した印刷ジョブから前記印刷ジョブにかかる印刷物の個々のページを表示する画像データを取得する画像データ取得ステップと、
前記画像データ取得ステップにより取得した画像データを前記連続用紙に順次印刷して排出する画像データ印刷ステップと、
前記画像データ印刷ステップにおいてジャムにより前記連続用紙に印刷したページを排出できなかった場合に排出できなかったページにかかる画像データを再印刷するために、予め既定数の再印刷用画像データを保存しておく再印刷用画像データ保存手段に、前記画像データ印刷ステップによる前記連続用紙への印刷済み画像データを前記再印刷用画像データとして順次追加する再印刷用画像データ追加ステップと、
前記再印刷用画像データ保存手段に保存されている再印刷用画像データが前記既定数を超えた場合に保存されている再印刷用画像データのうち最初に追加されたものを前記再印刷用画像データ保存手段から削除する第１の再印刷用画像データ削除ステップと、
前記画像データ印刷ステップにおいてジャムにより前記連続用紙に印刷したページを排出できなかった場合に前記再印刷用画像データ保存手段に保存されている再印刷用画像データを順次印刷する再印刷用画像データ印刷ステップと、
前記再印刷用画像データ印刷ステップによる印刷済み再印刷用画像データを前記再印刷用画像データ保存手段から順次削除する第２の再印刷用画像データ削除ステップとを印刷装置に実行させるものであり、
前記画像データ取得ステップは、前記印刷ジョブから前記画像データとともに前記印刷ジョブにかかる印刷物全体に適用される設定情報である印刷ジョブ設定情報および個々のページごとに適用される設定情報であるページ設定情報をも取得するものであり、
前記再印刷用画像データ追加ステップは、前記再印刷用画像データとともに前記画像データ取得ステップにより取得した印刷ジョブ設定情報およびページ設定情報を前記再印刷用画像データ保存手段に順次追加するものであり、
前記第１の再印刷用画像データ削除ステップは、前記再印刷用画像データとともに、前記再印刷用画像データ保存手段に保存されている印刷ジョブ設定情報およびページ設定情報のうち最初に追加されたものであって前記再印刷用画像データ保存手段に保存されている他の再印刷用画像データにかかるものでないものを前記再印刷用画像データ保存手段から削除するものであり、
前記再印刷用画像データ印刷ステップは、前記再印刷用画像データ保存手段に保存されている印刷ジョブ設定情報およびページ設定情報を適用して前記再印刷用画像データを順次印刷するものであり、
前記第２の再印刷用画像データ削除ステップは、前記再印刷用画像データとともに前記再印刷用画像データ印刷ステップによる適用済みの印刷ジョブ設定情報およびページ設定情報を前記再印刷用画像データ保存手段から順次削除するものである、
印刷制御プログラム。
【請求項１２】  前記印刷ジョブ設定情報はジョブヘッダの情報であり、前記ページ設定情報はページヘッダの情報である、請求項１１に記載の印刷制御プログラム。
【請求項１３】  請求項９〜１２のいずれか１つに記載の印刷制御プログラムを記録したコンピュータ読み取り可能な記録媒体。